(57)【特許請求の範囲】
【請求項１】
合成樹脂袋体の胴部の両サイドシール間の幅と同幅で胴部より延長した合掌部分の内面に雌雄咬合型のチャックを設け、このチャックの長手方向と直交する一側をサイドシールして、他側は開口してなる袋体において、前記チャックの長手方向と直交する他側の袋幅を前記一側をサイドシールによって決定されている袋幅と略同幅となるようにして合掌部分の立ち上がり位置を一側と他側とで均衡するように拡開を規制する予備シールを胴部から立ち上がる前記合掌部分の他側の基部に施したことを特徴とする合成樹脂製チャック付の袋体。
【請求項２】
前記予備シールは、チャック下方の規制位置から合掌部分の側端上方に渡り、チャックの長手方向端部のシールを含めた請求項１に記載の合成樹脂製チャック付の袋体。
【発明の詳細な説明】
【０００１】
【発明の属する技術分野】
本発明は、合成樹脂袋体の胴部より延長した合掌部分の内面に雌雄咬合型のチャックを設けた形態の合成樹脂製チャック付の袋体に関するものである。
【０００２】
【従来の技術】
合成樹脂袋体の胴部より延長した合掌部分の内面に雌雄咬合型のチャックを設けた形態の合成樹脂製チャック付の袋体は、例えば、実公昭４２−１３６１０号で開示されている。
【０００３】
【発明が解決しようとする課題】
上記従来の袋体においては、チャックの長手方向と直交する一側をサイドシールして、他側は開口している。これは、両サイドをシールして、チャック部より内容物を収納すると、内容物が容易に収納できないことと、チャックの開閉の煩わしさが伴うので、他側を開口して広い開口より内容物の収容を容易にするためである。この場合、内容物を収納して後に開口側を封緘（サイドシール）しているが、このとき、内容物の嵩張り等により開口側に広がりが生じ、これにより、シール幅に相違が出て、不格好なものとなり、開口側のシールを一側と同様に美麗に行うことが難しい面がある。
【０００４】
本発明の目的は、合成樹脂袋体の胴部より延長した合掌部分の内面に雌雄咬合型のチャックを設け、一側をサイドシールして、他側は開口した形態の合成樹脂製チャック付の袋体において、内容物を収納して後の開口側のシールを一側と同様に美麗に得られるようにし、併せて内容物の充填作業の作業性の向上を計ったことである。
【０００５】
【課題を解決するための手段】
上記目的を達成するための本発明の構成は、合成樹脂袋体の胴部の両サイドシール間の幅と同幅で胴部より延長した合掌部分の内面に雌雄咬合型のチャックを設け、このチャックの長手方向と直交する一側をサイドシールして、他側は開口してなる袋体において、前記チャックの長手方向と直交する他側の袋幅を前記一側をサイドシールによって決定されている袋幅と略同幅となるようにして合掌部分の立ち上がり位置を一側と他側とで均衡するように拡開を規制する予備シールを胴部から立ち上がる前記合掌部分の他側の基部に施したことを特徴とするものである。
【０００６】
また、上記の構成において、前記予備シールは、チャック下方の規制位置から合掌部分の側端上方に渡り、チャックの長手方向端部のシールを含めたものである。
【０００７】
【発明の実施の形態】
以下本発明の実施の形態を図面に基づいて説明する。図１図２及び図５において、１は合成樹脂フィルムよりなる袋体である。この袋体１は、胴部２より延長した合掌部分３の内面に雌雄咬合型のチャック４を設け、このチャック４の長手方向と直交する一側がサイドシール５されている共に、合掌部分３の一側もシール６されており、さらに、合掌部分３の上端を天シール７し、他側は開口８した形態である。
【０００８】
上記のような形態の袋体１において、前記チャック４の長手方向と直交する他側の開口８側の袋幅を前記一側をサイドシール５によって決定されている袋幅Ｂと略同幅となるよう拡開を規制する予備シール９を施したものである。
【０００９】
さらに詳しく説明すると、前記予備シール９は袋体１の胴部２から立ち上がる合掌部分３の他側の基部（規制位置）の一部分に施される。従って、立ち上がり位置並びに袋幅が一側と他側とで均衡することになる。
【００１０】
この予備シール９によって袋体１に内容物を開口８から収納しても、開口８側は拡開が規制され、サイドシール５によって決定されている一側の袋幅Ｂと略同幅となり、開口８側のシールは一側のサイドシール５と同様に美麗に得られ、外観を向上する。
【００１１】
図３及び図４は本発明の他の実施例である。この場合は、予備シールを前記のような一部ではなく袋体１の胴部２から立ち上がる合掌部分３の他側の基部から上端に渡って予備シール１０を施したものである。
【００１２】
すなわち、前記予備シール１０は、前記合掌部分３の他側のチャック下方に位置する基部（規制位置）から合掌部分３の側端上方に渡り、チャック４の長手方向端部のシールを含めたものである。
【００１３】
上記他の実施例においても、予備シール１０によって袋体１に内容物を開口８から収納しても、開口８側は拡開が規制され、サイドシール５によって決定されている一側の袋幅Ｂと略同幅となり、開口８側のシールは一側のサイドシール５と同様に美麗に得られ、外観を向上する。
【００１４】
尚、前記形態における予備シール９若しくは予備シール１０は、前記他側の基部（規制位置）よりも胴部側に渡るものであってはならない。この場合、他側の袋幅は一側より狭くなり、やはりバランスが崩れて不格好なものとなる。すなわち、予備シール９若しくは予備シール１０は拡開を規制すると同時に袋体としての形態をも確定するものである。
【００１５】
図６は前記他の実施例の設計変更である。すなわち、胴部２に内側への折り込み部１１を形成し、袋体１の容量を大きくした形態である。この形態にあっては折り込み部１１の拡開がネックとなり、前記一側と他側の袋幅を略同幅とすることが難しくなる。
【００１６】
これについては、前記予備シール９若しくは予備シール１０に加えて、例えば図示するように、胴部２と折り込み部１１が対接する他側の外折り端の四隅に予備シール１２を施すことによって、一側と他側が略同幅となるよう規制し、また、その適格な形態を確定する。
【００１７】
尚、上記の袋体１における合掌部分３は図１において幅Ｂの中心０−０から立ち上がる形態であるが、幅Ｂの中心０−０より上または下にずれた位置より立ち上がる形態とすることも可能である。
【００１８】
【発明の効果】
以上のように本発明によると、合成樹脂袋体の胴部の両サイドシール間の幅と同幅で胴部より延長した合掌部分の内面に雌雄咬合型のチャックを設け、このチャックの長手方向と直交する一側をサイドシールして、他側は開口してなる袋体において、簡単な構成により、袋体に内容物を収納した後の開口側のシールは一側のサイドシールと同様に美麗に得られ、外観及び作業性を向上する利点を有している。
【図面の簡単な説明】
【図１】本発明の袋体の平面図
【図２】図１の立体図
【図３】本発明の他の実施例をを示す平面図
【図４】図３の立体図
【図５】図１のＡ−Ａ線断面図
【図６】本発明の設計変更を示す立体図
【符号の説明】
１      袋体
２      胴部
３      合掌部分
４      チャック
５      サイドシール
６      シール
７      天シール
８      開口
９      予備シール
１０    予備シール
１１    折り込み部
１２    予備シール
【図１】
0003727442.tif 000002
【図２】
0003727442.tif 000003
【図３】
0003727442.tif 000004
【図４】
0003727442.tif 000005
【図５】
0003727442.tif 000006
【図６】
0003727442.tif 000007